(57)【特許請求の範囲】
【請求項１】
扁平な筒状の把手挿入部を有し、把手を該把手挿入部内に挿入して取り付け可能になされている清掃用物品であって、
前記把手挿入部は、２枚の縦長のシートが、該シートの幅方向に離間し、それぞれ長手方向に延びる複数の接合部で貼り合わされて形成されており、
少なくとも一方の前記シートにおける隣り合う接合部同士間の中央部分に切れ目が設けられており、
前記２枚の縦長のシートの幅よりも広い幅の繊維層を２層以上有しており、隣り合う該繊維層間に前記２枚の縦長のシートが配されており、
前記繊維層は、繊維の配向方向が前記２枚の縦長のシートの長手方向と略直交するように配向した繊維からなる繊維束であり、前記繊維層と前記２枚の縦長のシートとは、前記複数の接合部にて接合されており、
前記繊維層には、前記切れ目が設けられていない清掃用物品。
【請求項２】
把手挿入方向と平行に形成された縦方向の切れ目を有する請求項１記載の清掃用物品。
【請求項３】
把手挿入方向と平行に形成された縦方向の切れ目と、該切れ目と直交する方向の横方向の切れ目とからなる十文字状の切れ目を有する請求項１記載の清掃用物品。
【請求項４】
複数の前記切れ目が千鳥格子状に配されている請求項１〜３の何れか記載の清掃用物品。
【請求項５】
前記縦方向の切れ目の長さが１〜１０ｍｍである請求項２〜４の何れか記載の清掃用物品。
【請求項６】
前記複数の接合部は、前記２枚の縦長のシートの幅方向中央部に位置する中央接合部を有し、前記繊維層と前記シートとは、それらの幅方向中央部を一致させて、該中央接合部にて接合されている請求項１〜５の何れか記載の清掃用物品。
【発明の詳細な説明】
【技術分野】
【０００１】
本発明は、清掃用物品、特に把手挿入部を有し、把手を該把手挿入部内に挿入して取り付け可能になされている清掃用物品に関する。
【背景技術】
【０００２】
従来、把手挿入部を有し、把手を該把手挿入部内に挿入して取り付け可能になされている清掃用物品が広く知られている。この種の清掃用物品において、把手が清掃用物品から外れない様にするため、把手挿入部の幅を部分的に狭くしている場合がある。この清掃用物品は、把手が挿入し難く、また把手を外し難くなっている。一方、把手が挿入し易くするために把手挿入部の幅を広くすると、把手を挿入し易いが、把手が外れ易い清掃用物品となってしまい、清掃中に把手が清掃用物品から外れてトラブルを起こす場合がある。
また、繊維製の拭材が、拭面部を有する把手基体の拭面部を覆うと共にその端縁部を屈曲状態で覆うようになっており、拭材が袋状となって把手挿入部を形成している清掃用物品がある。
【０００３】
例えば、特許文献１において、線状の複数の切れ目が一列に並んでなる切れ目列を２つ有するシート状の繊維製品からなる拭材であって、前記切れ目列の方向に対し、その切れ目列を構成する各切れ目の方向が角度を有しており、各切れ目の両端は拭材の端縁よりも内方に位置しており、拭材が袋状となって把手挿入部を形成し、把手が挿入されている清掃用物品が開示されている。
【０００４】
【特許文献１】特開２００１−２８６４２４号公報
【発明の開示】
【発明が解決しようとする課題】
【０００５】
特許文献１記載の清掃用物品によれば、繊維製の拭材における把手基体の拭面部のうち拭対象部に接する部分の端縁部を覆う部分においては、その端縁部に対し各切れ目が交差しており、清掃対象部を拭いている状態において、端縁側に位置するそれらの切れ目はやや開口した状態となり、集積した塵埃がやや開口した各切れ目に絡まって保持され、拭掃除の効率を高められている。しかしながら、把手を挿入し易く且つ把手が清掃中に外れ難いといった工夫はなされていない。
【０００６】
従って本発明の目的は、把手を挿入し易く且つ清掃中に把手が外れ難い清掃用物品を提供することにある。
【課題を解決するための手段】
【０００７】
本発明は、扁平な筒状の把手挿入部を有し、把手を該把手挿入部内に挿入して取り付け可能になされている清掃用物品であって、前記把手挿入部は、２枚の縦長のシートが、該シートの幅方向に離間し、それぞれ長手方向に延びる複数の接合部で貼り合わされて形成されており、少なくとも一方の前記シートにおける隣り合う接合部同士間の中央部分に切れ目が設けられている清掃用物品を提供することにより前記目的を達成したものである。
【発明の効果】
【０００８】
本発明の清掃用物品によれば、把手を挿入し易く且つ清掃中に把手が外れ難い。
【発明を実施するための最良の形態】
【０００９】
以下、本発明の清掃用物品の好ましい第１実施形態について、図１〜図３を参照しながら説明する。
【００１０】
本実施形態の清掃用物品１０は、図１〜図３に示すように、全体として縦長で扁平な形状を有するものであり、扁平な筒状の一対の把手挿入部１５，１５を有し、把手２０を一対の該把手挿入部１５，１５内に挿入して取り付け可能になされている。清掃用物品１０は４層の同形の繊維層１１ａ，１１ｂ，１１ｃ，１１ｄを備えている。また清掃用物品１０は２枚の同形の掻き出し用シート１２ａ，１２ｂを備えている。
【００１１】
本実施形態の清掃用物品１０において、繊維層１１ｂと繊維層１１ｃとの間には、図２及び図３に示すように、何れも矩形であって、２枚の縦長のシートである把手装着用シート１３ａ，１３ｂが配されている。２枚の把手装着用シート１３ａ，１３ｂはそれらの長手方向が、清掃用物品１０の長手方向と一致している。把手装着用シート１３ａ，１３ｂは、それらの長さが繊維層１１ａ，１１ｂ，１１ｃ，１１ｄの長さとほぼ同じになっている。しかし、把手装着用シート１３ａ，１３ｂの幅は、繊維層１１ａ，１１ｂ，１１ｃ，１１ｄの幅よりも狭くなっている。
【００１２】
本実施形態の清掃用物品１０において、一対の扁平な筒状の把手挿入部１５，１５は、図３に示すように、２枚の縦長の把手装着用シート１３ａ，１３ｂが、該シートの幅方向に離間し、それぞれ長手方向に延びる３つの接合部１６ａ，１６ｂ，１６ｃで貼り合わされて形成されており、２枚の前記シート１３ａ，１３ｂそれぞれにおける隣り合う接合部同士間の中央部分に複数の直線状の切れ目１７，１７…が設けられている。ここで、隣り合う接合部同士間の中央部分は、隣り合う接合部同士間においてその両端部を除く領域であるが、少なくともこの部分に切れ目が設けてあれば良く、当然シート１３ａ，１３ｂの全面に切れ目が設けてあっても良い。
【００１３】
本実施形態の清掃用物品１０について、更に説明すると、一対の把手挿入部１５，１５それぞれは、図３に示すように、把手装着用シート１３ａ，１３ｂの長手方向の前後端部間に亘り形成されている。一対の把手挿入部１５，１５それぞれは、本物品１０が包装されている状態においては、両シート１３ａ，１３ｂが重なった状態にあるが、後述する把手２０を挿入した場合、両シート１３ａ，１３ｂの部分が離間し、図１に示すように、筒状の空間が形成されるようになされている。
筒状の把手挿入部１５は、該シート１３ａ，１３ｂにおける長手方向の前後端部それぞれに開口部を有しており、把手２０は何れの該開口部からも把手挿入部１５内に挿入可能となっている。本実施形態の清掃用物品１０で清掃する際には、図１に示すように、把手２０を一対の把手挿入部１５，１５に挿入固定した状態で用いられる。
【００１４】
本実施形態の清掃用物品１０における一対の把手挿入部１５，１５において、その幅方向中央部に位置している接合部１６ｂは、直線状のヒートシールであって、該シート１３ａ，１３ｂの長手方向の前後端部間に亘り形成されている。接合部１６ｂの位置は、把手装着用シート１３ａ，１３ｂの幅方向中央部でもある。
また、前記接合部１６ｂの両脇に配されている２つの接合部１６ａ，１６ｃ（図３において点線で囲まれた部分）それぞれは、円形のヒートシールによるエンボス部１８が、該シート１３ａ，１３ｂの長手方向に等間隔に並んで形成されている。接合部１６ａ、１６ｃそれぞれにおいて、エンボス部１８同士の間の部分における２枚の該シート１３ａ,１３ｂ同士は接合されていない。２つの接合部１６ａ、１６ｃそれぞれは、前記接合部１６ｂから幅方向に略等距離離れて形成されている。
尚、２枚の把手装着用シート１３ａ，１３ｂのうち、上側に位置しているシート１３ａにおける長手方向の前後端部それぞれは、図２及び図３に示すように、上側に折り返されており、折り返されている部分の両端部それぞれは、下側に位置している把手装着用シート１３ｂとヒートシールによるエンボスで接合されている。
【００１５】
本実施形態の清掃用物品１０における一対の把手挿入部１５，１５は、図３に示すように、把手挿入方向と平行に形成された複数の縦方向の切れ目１７，１７…を有している。本実施形態における把手挿入方向は、把手装着用シート１３ａ，１３ｂの長手方向と一致している。複数の切れ目１７，１７…は、両シート１３ａ，１３ｂ共に設けられており、両シート１３ａ，１３ｂが２枚重ねの状態で該各切れ目１７，１７…が形成されるため、背面側にも同一パターンで形成されている。
【００１６】
各把手挿入部１５において、複数の切れ目１７，１７…は千鳥格子状に配されている。詳述すると、各把手挿入部１５には、切れ目１７が長手方向に等間隔に連なる列が、幅方向に３本形成されている。３本の該列は、幅方向に等間隔に配されている。幅方向の両脇に位置する２つの列において、各切れ目１７は、幅方向に揃っている。また、幅方向中央に位置する列を形成する各切れ目１７は、両脇に位置している列を形成する各切れ目とは、側面視した場合、重ならないように配されている。側面視とは、把手装着用シート１３ａ，１３ｂを、側面から見た様子である。
【００１７】
前記シート１３ａ，１３ｂの幅方向に等間隔で配されている３本の前記列において、その間隔は、把手２０が把手挿入部１５に挿入し易く且つ清掃中には外れ難くなる観点から、具体的には２〜１５ｍｍであることが好ましい。また、３本の前記列おいて、縦方向の各切れ目１７の長さは略同じであり、同様の観点から、具体的には、１〜１０ｍｍであり、特に２〜７ｍｍであることが好ましい。該列の長手方向に等間隔に形成されている切れ目１７同士の間隔は、該切れ目１７と同じ長さである。
一対の把手挿入部１５，１５を形成している２つの接合部１６ａ、１６ｃにおけるエンボス部１８同士の長手方向の間隔は、把手２０を把手挿入部１５に挿入する際に引っかからないようにする観点から、５〜３５ｍｍであることが好ましい。
【００１８】
本実施形態の清掃用物品１０について、更にまた説明すると、繊維層１１ａ，１１ｂ，１１ｃ，１１ｄは、所定の厚みをもって繊維束が配向されてなるものである。繊維束は、図１及び図２に示すように、清掃用物品１０の幅方向に略配向している。
隣り合う繊維層である繊維層１１ａと繊維層１１ｂとの間には、縦長矩形の掻き出し用シート１２ａが配されている。同様に繊維層１１ｃと繊維層１１ｄとの間には、縦長矩形の掻き出し用シート１２ｂが配されている。２枚の掻き出し用シート１２ａ，１２ｂは同形をしている。また２枚の掻き出し用シート１２ａ，１２ｂはそれらの長手方向が、清掃用物品１０の長手方向と一致している。
【００１９】
各繊維層１１ａ〜１１ｄと、２枚の縦長の把手装着用シート１３ａ，１３ｂと、２枚の掻き出し用シート１２ａ，１２ｂとは、各繊維層１１ａ〜１１ｄにおける繊維の配向方向が、掻き出し用シート１２ａ，１２ｂ及び把手装着用シート１３ａ，１３ｂの長手方向と略直交するように積層されている。更に繊維層、把手装着用シート及び掻き出し用シートは、それらの幅方向中央部を一致させて、把手装着用シート及び掻き出し用シートの長手方向にわたり接合されている。接合は、所定幅をもった直線状の接合ライン１４に沿って行われる。接合ライン１４は、繊維層、把手装着用シート及び掻き出し用シートの幅方向中央部に形成される。接合ラインは、例えば熱融着、接着剤による接着などの公知の接合手段によって形成される。繊維層、把手装着用シート及び掻き出し用シートの何れもが熱融着性の材料から構成されている場合には、熱融着によって接合ライン１４を形成することが簡便である。この場合、一対の把手挿入部１５，１５を形成している接合部１６ｂは、接合ライン１４の形成と共に設けられることが好ましい。
また、繊維層１１ｂと把手装着用シート１３ａ,１３ｂと繊維層１１ｃとは、接合部１６ａ、１６ｃを形成しているエンボス部１８，１８…において融着されていることが、清掃用物品１０に対して、柔軟性を確保しつつ剛性が与えられる観点から好ましい。
【００２０】
また把手２０は、図２に示すように、把持部２１と把持部の先端から二股に分岐した挿入部２２，２２とを備えている。把持部２１と挿入部２２とは所定の角度をなしている。挿入部２２は細長い扁平な板状の形状をしている。挿入部２２がこのような形状となっていることで、挿入部２２に可撓性が付与される。このことは、曲面や凹凸を有する清掃対象面を清掃した場合に、清掃用物品１０が清掃対象面に追従し易くなり、埃の除去効率が高まる観点から有利である。各挿入部２２は、２枚の把手装着用シート１３ａ，１３ｂによって形成される把手挿入部１５内にそれぞれ挿入される。挿入部２２，２２間には、挿入部２２よりも短い長さを有するフック部２３が設けられている。フック部２３はその先端が所定の角度をなして上方を向いている。フック部２３は、挿入部２２が把手挿入部１５内に挿入された状態で清掃用物品１０と係合することで、挿入部２２が清掃用物品１０から抜けにくくする働きを有している。
【００２１】
前述した本発明の清掃用物品１０において、各把手挿入部１５の幅は、把手２０が清掃用物品に入れ易く且つ清掃中には外れ難くい観点から、把手２０の各挿入部２２の幅と略同じ長さにすることが好ましい。各該挿入部２２が一対の把手挿入部１５，１５それぞれに挿入されている状態において、把手挿入部１５は、その幅方向に、挿入部２２の厚み相当分だけ伸び、該挿入部２２を締め付けている。
切り込み１７が設けられている把手挿入部１５の幅方向の好ましい伸度は、挿入部２２の厚みによって変わる。通常の把手２０の挿入部２２の厚みは１〜７ｍｍであり、挿入部２２の幅は５〜２５ｍｍであることから、把手挿入部１５の幅方向の伸度は、把手２０が清掃用物品に入れ易く且つ清掃中に外れ難くなる観点から、１.０〜８.０％であることが好ましい。この伸度は、切り込みの形状及び配置パターンと、把手装着用シート１３ａ，１３ｂの形成材料の幅方向の伸度との組み合わせにより調節可能である。伸度の測定方法については後述する。
把手挿入部１５の幅は、２枚の把手装着用シート１３ａ，１３ｂが重なった状態において、接合部１６ａを形成している円形のエンボス部１８の幅方向内側の縁端と接合部１６ｂの幅方向外側の縁端との間を、把手装着用シート１３ａ，１３ｂの幅方向に沿って測った距離である。接合部１６ｃと接合部１６ｂとの間についても同様である。
【００２２】
本実施形態の清掃用物品１０を構成する各部材について説明すると、把手装着用シート１３ａ，１３ｂの形成材料としては、従来の清掃用物品に用いられている不織布等の繊維シートを用いることができる。特に、エアスルー不織布もしくはスパンボンド不織布が好ましい。
また、各繊維層１１ａ〜１１ｄを構成する繊維としては、繊維長が３０〜１５０ｍｍ、特に５０〜１２０ｍｍのものを用いることが、埃の絡み取り性の点から好ましい。本実施形態においては、このような繊維長を有する繊維を繊維束（トウ）の状態で用いる。その際には公知の開繊装置を用いて繊維を十分に開繊しておくことが好ましい。
【００２３】
前述した本発明の清掃用物品１０によれば、把手２０の各挿入部２２の先端が、筒状の各把手挿入部１５内に挿入されていくと、各切れ目１７が順次開き、把手挿入部の幅が部分的に広くなるため、把手２０が挿入し易くなされている。また、複数の縦長の切れ目１７，１７…が各把手挿入部１５の長手方向に千鳥格子状に配されているため、把手挿入部１５の長手方向全体に亘って、把手２０が挿入し易くなされている。
一方、把手２０の各挿入部２２全体が把手挿入部１５に挿入された状態においては、各挿入部２２がその長手方向に亘って筒状の把手挿入部１５によって締め付けられており、清掃中に把手２０が一対の把手挿入部１５，１５から外れ難くなされている。更に、把手２０が把手挿入部１５から外れ難くなる理由として以下の説明が挙げられる。（１）板状の各挿入部２２は、把手挿入部１５を形成している、複数の縦長の切れ目１７，１７…を施された把手装着用シート１３ａ，１３ｂと面接触しており、その静摩擦係数は、把手２０の挿入時の動摩擦係数よりも大きいこと。（２）フック部２３が清掃用物品１０と係合していること。
【００２４】
次に本発明の第２実施形態の清掃用物品１０を、図４を参照しながら説明する。第２実施形態について、特に説明しない点については、第１実施形態に関して詳述した説明が適宜適用される。また、図４において、図１〜図３と同じ部材に同じ符号を付してある。
【００２５】
本実施形態の清掃用物品１０は、図４に示すように、把手挿入部１５が一つだけ設けられている。２枚の同形で縦長の把手装着用シート１３ａ，１３ｂが、その長手方向に亘る２つの接合部１６ａ，１６ｃで貼り合わされて筒状の把手挿入部１５が形成されている。２つの接合部１６ａ，１６ｃ（図４において点線で囲まれた部分）それぞれは、図４に示すように、円形のヒートシールによるエンボス部１８が、該シート１３ａ，１３ｂの長手方向に等間隔に並んで形成されている。第１実施形態の清掃用物品に設けられていた線状のヒートシールによる接合部は形成されていない。
本実施形態において、把手２０の挿入部の形状は、その幅が把手挿入部１５と略同じ幅を有していれば、第１実施形態と同様に２股に分岐していても良いし、分岐していない一体的形状であっても良い。
また、本実施形態において、接合ライン１４は、２枚の把手装着用シート同士１３ａ，１３ｂを接合しないように形成されている。
【００２６】
本実施形態によれば、第１実施形態と同様の効果が得られる。また、把手２０の挿入部が２股に分岐していない一体的形状を有している場合には、該挿入部の剛性が把手２０により高められているため、隅部や壁と家具の間の隙間などを清掃する場合、又は清掃対象面にこびりついたゴミを掻き取り、除去する場合において、操作性が向上する。
【００２７】
本発明の清掃用物品は、前述した実施形態に制限されることなく、本発明の趣旨を逸脱しない限り適宜変更が可能である。
例えば、本発明の清掃用物品の各実施形態における把手挿入部において、直線状の切れ目が設けられていたが、幅のある切れ目（スリット）であっても良い。
また、各実施形態において、切れ目は２枚の把手装着用シートそれぞれに設けられていたが、少なくとも一方のシートに設けられていれば良い。
また、各実施形態における把手挿入部は、把手挿入方向と平行に形成された縦方向の線状の切れ目を有していたが、該切れ目と、該切れ目と直交する方向の横方向の切れ目とからなる十文字状の切れ目を有していても良い。
前述した一の実施形態における説明省略部分及び一の実施形態のみが有する要件は、それぞれ他の実施形態に適宜適用することができ、また、各実施形態における要件は、適宜、実施形態間で相互に置換可能である。
また、本発明の清掃用物品は、各繊維層の繊維を毛羽立たせても良い。各繊維層の繊維全体を毛羽立たせた場合、本物品は、その全体の形状が円柱状となり、繊維層端部の面積が増加し、その捕集効果が高められる。
【００２８】
本発明の清掃用物品は、通常乾式の状態で、使い捨ての物品として、例えばテーブルや机、タンスなどの家具、テレビやビデオデッキ、冷蔵庫などの家電製品等の清掃に用いられる。また、部屋の隅部や、壁と家具との間の狭い隙間の清掃にも用いられる。
【実施例】
【００２９】
以下、本発明の実施例を用いて更に説明する。ただし、本発明の範囲はかかる実施例に制限されるものではない。
【００３０】
[実施例１]
図１及び図２に示す清掃用物品を製造した。各繊維層１１ａ〜１１ｄとして、繊維長８０ｍｍの芯鞘型熱融着性複合繊維を用いた。この複合繊維は、芯がポリエチレンテレフタレート、鞘がポリエチレンから構成されている太さ２.２ｄｔｅｘのものであった。各繊維層１１ａ〜１１ｄの坪量は何れも２５０ｇ／ｍ2であった。各繊維層１１ａ〜１１ｄは、前記の複合繊維の繊維束（トウ）を開繊装置で開繊したものであった。
【００３１】
図５（ａ）に示す切れ目の形状及び配置パターンを有する把手挿入部を製造した。把手装着用シート１３ａ，１３ｂとしては、坪量４０ｇ／ｍ2のエアスルー不織布を用いた。構成繊維は、芯がポリエチレンテレフタレート、鞘がポリエチレンから構成されている芯鞘型熱融着性複合繊維（３.３ｄｔｅｘ×５１ｍｍ）であった。シートの寸法は６０ｍｍ×１４０ｍｍであった。不織布のＭＤ方向を、シートの長手方向と一致させた。
２枚の同形の把手装着用シートを、その長手方向に亘る２つの接合部で貼り合わされて筒状の把手挿入部を形成した。各接合部は、円形のエンボスを長手方向に２５ｍｍ間隔に設けて形成した。各接合部の幅方向の間隔は３２ｍｍであった。
次いで、把手挿入部に縦長の切れ目を形成した。各切れ目の長さは５ｍｍであり、把手の挿入方向と平行に設けた。切れ目がシート長手方向に等間隔に連なる列を、シート幅方向に等間隔に３列設けた。各列のシート幅方向の間隔は１０ｍｍであった。各列における切れ目同士のシート長手方向の間隔は、５ｍｍであった。各列における切れ目が、シート幅方向に揃うように各列を配した。複数の切れ目は、両シートを２枚重ねの状態で形成したため、背面側にも同一パターンで形成された。
【００３２】
掻き出し用シート１２ａ，１２ｂとしては、把手装着用シート１３ａ，１３ｂと同じ不織布を用いた。このシートの寸法は８０ｍｍ×１４０ｍｍであった。
【００３３】
これらの各部材を図２に示す分解斜視図のように積層し、幅方向の中央部において接合ライン１４によって熱融着した。本実施例において、接合ライン１４は、２枚の把手装着用シート同士を接合しないように形成した。こうして第１実施例の清掃用物品を得た。
【００３４】
[実施例２]
図５（ｂ）に示す切れ目の形状及び配置パターンを有する把手挿入部を製造した。縦長の各切れ目の長さは１０ｍｍであり、把手の挿入方向と平行に設けた。切れ目がシート長手方向に等間隔に連なる列を、シート幅方向に等間隔に３列設けた。各列のシート幅方向の間隔は１０ｍｍであった。各列における切れ目同士のシート長手方向の間隔は、５ｍｍであった。その他は第１実施例と同様にして、第２実施例の清掃用物品を得た。
【００３５】
[実施例３]
図５（ｃ）に示す切れ目の形状及び配置パターンを有する把手挿入部を製造した。縦長の各切れ目の長さは５ｍｍであり、把手の挿入方向と平行に設けた。切れ目がシート長手方向に等間隔に連なる列を、シート幅方向に等間隔に３列設けた。各列のシート幅方向の間隔は１０ｍｍであった。各列における切れ目同士のシート長手方向の間隔は５ｍｍであった。各切れ目が千鳥格子状なるように各列を配した。その他は第１実施例と同様にして、第３実施例の清掃用物品を得た。
【００３６】
[実施例４]
図５（ｄ）に示す切れ目の形状及び配置パターンを有する把手挿入部を製造した。把手の挿入方向と平行な縦長の切れ目と、該切れ目と直交する方向の横方向の切れ目とからなる十文字状の切れ目を形成した。該十文字状の切れ目がシート長手方向に等間隔に連なる列を３列形成した。十文字を形成している横長及び縦長の切れ目それぞれの長さは同じであり３ｍｍであった。各列のシート幅方向の間隔は１０ｍｍであった。各列における十文字状の切れ目同士のシート長手方向の間隔は、５ｍｍであった。各切れ目が千鳥格子状なるように各列を配した。その他は第１実施例と同様にして、第４実施例の清掃用物品を得た。
【００３７】
[実施例５] 
図６（ａ）に示す切れ目の形状及び配置パターンを有する把手挿入部片を、第１実施例における把手装着用シートに用いた不織布のシートから作製した。該シートの寸法は２００ｍｍ×３０ｍｍであり、不織布のＭＤ方向をシートの長手方向と一致させた。切れ目をシートの長手方向中央部の１００ｍｍの範囲に形成した。該シート幅方向に沿った横長の切れ目を、該シート長手方向に等間隔に連なるように５列形成した。切れ目の長さは５ｍｍであり、シートの長手方向における各切れ目同士の間隔は１０ｍｍであった。各切れ目が千鳥格子状なるように各列を配した。こうして、実施例５の把手挿入部片を得た。本実施例におけるシートの長手方向は、前述した本実施形態の把手装着用シートの幅方向に対応する。
【００３８】
[実施例６]
不織布のＣＤ方向を、シートの長手方向と一致させた。その他は第５実施例と同様にして、実施例６の把手挿入部片を得た。
【００３９】
[実施例７]
図６（ｂ）に示す切れ目の形状及び配置パターンを有する把手挿入部片を、第１実施例の把手装着用シートに用いた不織布のシートから作製した。このシートの寸法は２００ｍｍ×３０ｍｍであり、不織布のＭＤ方向をシートの長手方向と一致させた。該シート幅方向に沿った横長の切れ目と、該切れ目と直交する方向の縦方向の切れ目とからなる十文字状の切れ目を、シートの長手方向中央部の１００ｍｍの範囲に形成した。十文字状の該切れ目が長手方向に等間隔に連なる列を５列形成した。十文字を形成している横長及び縦長の切れ目それぞれの長さは同じであって、５ｍｍであった。各十文字状の切れ目のシート長手方向における間隔は１０ｍｍであった。各切れ目が千鳥格子状なるように各列を配した。こうして、実施例７の把手挿入部片を得た。本実施例におけるシート長手方向は、前述した本実施形態の把手装着用シートの幅方向に対応する。
【００４０】
[実施例８]
不織布のＣＤ方向を、シートの長手方向と一致させた。その他は第７実施例と同様にして、実施例８の把手挿入部片を得た。
【００４１】
[比較例１]
切れ目を設けないこと以外は第１実施例と同様にして、比較例１の清掃用物品を得た。
【００４２】
[比較例２]
切れ目を設けず、また各接合部の幅方向の間隔を３４ｍｍとしたこと以外は第１実施例と同様にして、比較例２の清掃用物品を得た。
【００４３】
[比較例３]
切れ目を設けないこと以外は第５実施例と同様にして、比較例３の把手挿入部片を得た。
【００４４】
[比較例４]
切れ目を設けないこと以外は第６実施例と同様にして、比較例４の把手挿入部片を得た。
【００４５】
[評価１：把手の挿入し易さ及び外れ難さ]
前述した実施例１〜４及び比較例１，２の清掃用物品を用い、１０人の測定者が把手を把手挿入部に挿入し、その清掃用物品を用いて清掃操作を行い、把手の挿入し易さ及び清掃中の把手の外れ難さを下記の４段階で評価した。把手としては、挿入部が二股に分岐していない一体的形状のものを用いた。該挿入部の幅は３２ｍｍ、長さは１２０ｍｍ、厚さは３ｍｍであった。清掃用物品を用いた清掃操作としては、テレビ、ビデオの清掃、パソコン用キーボードの清掃および家具と壁との隙間（幅２０ｍｍ，奥行き２００ｍｍ）の清掃を行った。結果を表１に示す。
＜入れ易さ＞
◎・・・非常に挿入し易い。
○・・・挿入し易い。
△・・・挿入し難い。
×・・・非常に挿入し難い。
＜清掃中の外れ難さ＞
◎・・・非常に外れ難い。
○・・・外れ難い。
△・・・外れ易い。
×・・・非常に外れ易い。
【００４６】
表１に示す結果から明らかなように、本実施例の清掃用物品における把手挿入部は、比較例の把手挿入部に対して把手が挿入し易く且つ清掃中には外れ難いことが判る。特に、実施例３及び実施例４の把手挿入部は優れている。
【００４７】
【表１】
0004549250.tif 000002
【００４８】
[評価２：伸度]
前述した実施例５〜８及び比較例３，４の把手挿入部片を用いて、伸度の評価を行った。伸度の評価は以下のように行った。
伸度の評価は、把手挿入部片の切れ目を有する部分を引張試験機（島津製作所製、ＡＧ−ＩＳ  ＭＯ型）により、１００ｍｍ のチャック間隔で把持し、１００ｍｍ ／分の速度で引張り、０.１ｋｇｆの荷重がかかる点での変位数を０.１ｋｇｆ伸度として記録した。
結果を表２に示す。表２において、シート幅方向に沿った横長の切れ目を、一文字と記載している。
【００４９】
表２に示す結果から明らかなように、本実施例の把手挿入部片は、ＭＤ方向及びＣＤ方向それぞれにおいて、比較例の把手挿入部片に対して伸度が優れていることが判る。これは、各切れ目が把手挿入部片の長手方向に開くことで、該把手挿入部片の実質的な長さが伸びるためと考えられる。特に、不織布のＣＤ方向において、本実施例における把手挿入部片の伸度は優れている。
【００５０】
【表２】
0004549250.tif 000003
【図面の簡単な説明】
【００５１】
【図１】図１は、本発明の清掃用物品の第１実施形態を示す斜視図である。
【図２】図２は、図１に示す清掃用物品の分解斜視図である。
【図３】図３は、第１実施形態における清掃用物品の把手装着用シートを示す平面図である。
【図４】図４は、第２実施形態における清掃用物品の把手装着用シートを示す平面図である。
【図５】図５は、本発明の清掃用物品における把手挿入部の各実施例における切れ目の形状及び配置パターンを示す平面図であり、（ａ）は第１実施例であって、（ｂ）は第２実施例であって、（ｃ）は第３実施例であって、（ｄ）は第４実施例である。
【図６】図６は、本発明の清掃用物品における各実施例の把手挿入部片における切れ目の形状及び配置パターンを示す平面図であり、（ａ）は第５及び６実施例であって、（ｂ）は第７及び８実施例である。
【符号の説明】
【００５２】
１０  清掃用物品
１１ａ，１１ｂ，１１ｃ，１１ｄ  繊維層
１２ａ，１２ｂ  掻き出し用シート
１３ａ，１３ｂ  把手装着用シート（シート）
１４  接合ライン
１５  把手挿入部
１６  接合部
１７  切れ目
１８  エンボス部
２０  把手
【図１】
0004549250.tif 000004
【図２】
0004549250.tif 000005
【図３】
0004549250.tif 000006
【図４】
0004549250.tif 000007
【図５】
0004549250.tif 000008
【図６】
0004549250.tif 000009